(57)【要約】【課題】建物の構造やデザインに伴って存在する外壁面の比較的大きな凹凸形状から微小な不陸等に応じて、外壁面と竪樋との設置間隔を容易かつ連続的に調整可能な竪樋用控え具を提供する。【解決手段】建物の外壁面６に固定される固定部２と、竪樋７を支持する竪樋支持部３と、固定部と竪樋支持部の間隔を調整可能に連結する間隔調整部４を備えた竪樋用控え具１であって、固定部に設けられた外壁面側から前方に延びる被連結部２１と、竪樋支持部に設けられた外壁面側に延びる連結部３１がスライド可能に連結され、竪樋支持部が外壁面に対して前後方向に移動可能に接続されており、間隔調整部は、固定部に回転自在に支持された渦巻き状の溝４２が形成された円板４１を備えるとともに、一端部が竪樋支持部に接続され、他端部が円板の渦巻き状の溝に摺動可能に支持されたアーム部４４を備え、間隔調整部の円板を回転させて渦巻き状の溝に支持されたアーム部の他端部の位置を変更することにより、固定部と竪樋支持部の間隔を調整可能とする。【選択図】図１
2017193883.tif 000002
【特許請求の範囲】
【請求項１】
建物の外壁面に固定される固定部と、竪樋を支持する竪樋支持部と、前記固定部と前記竪樋支持部の間隔を調整可能に連結する間隔調整部を備えた竪樋用控え具であって、
前記固定部に設けられた外壁面側から前方に延びる被連結部と、前記竪樋支持部に設けられた外壁面側に延びる連結部がスライド可能に連結され、前記竪樋支持部が前記外壁面に対して前後方向に移動可能に接続されており、
前記間隔調整部は、前記固定部に回転自在に支持された渦巻き状の溝が形成された円板を備えるとともに、一端部が前記竪樋支持部に接続され、他端部が前記円板の渦巻き状の溝に摺動可能に支持されたアーム部を備え、
前記間隔調整部の円板を回転させて渦巻き状の溝に支持されたアーム部の他端部の位置を変更することにより、前記固定部と前記竪樋支持部の間隔を調整可能とすることを特徴とする竪樋用控え具。
【請求項２】
前記間隔調整部の前記アーム部の他端部が、前記円板に設けられた渦巻き状の溝に摺動可能に支持されるとともに、前記固定部に設けられた外壁面側から前方に延びるスリット部に移動可能に支持されており、
前記間隔調整部の円板を回転させて、渦巻き状の溝に支持されたアーム部の他端部を前記スリット部に沿って前後方向に移動させることにより、前記固定部と前記竪樋支持部の間隔を調整可能とすることを特徴とする請求項１に記載の竪樋用控え具。
【請求項３】
前記間隔調整部に、前記円板の回転を抑止するための固定用部材が着脱可能に設けられていることを特徴とする請求項１又は２に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、通常、外壁面に固定する固定部と、その前方に設けられた竪樋を支持する竪樋支持部が一体に形成された構造のものが用いられている。
【０００３】
一方、建物の外壁面には、建物の構造及びデザイン等に伴う凹凸や、表面に微小な不陸がある場合が多く、竪樋の取付施工においては、建物の外壁面と竪樋の間隔調整が必要な場合がある。しかしながら、上記従来の構造の竪樋用控え具は、前記のように竪樋を支持する竪樋支持部と建物の外壁面に固定する固定部が一体の構造となっているため、竪樋と外壁面との間隔調整ができないという問題があった。
【０００４】
この問題に対して、これまでに竪樋と外壁面との間隔調整が可能な竪樋用控え具が提案されている。具体的には、例えば、竪樋支持部と固定部の両方に雄ねじ部を形成し、この雄ねじ部と螺合する雌ねじ部を形成した調整部材で接続した竪樋用控え具がある（特許文献１を参照）。
【０００５】
この特許文献１の竪樋用控え具によれば、竪樋支持部と固定部に形成した雄ねじ部と、調整部材の雌ねじ部を所望の間隔となるように螺合して調整することにより、竪樋と外壁面との間隔調整が可能になるとしている。
【０００６】
また、他の提案として、竪樋の竪樋支持部と、これに連結される挿通孔を設けたスライド片と、外壁面に固定される長穴を設けた固定部を備え、スライド片の挿通孔と固定部の長穴を結合具を用いて結合する構造の竪樋用控え具がある（特許文献２を参照）。
【０００７】
この特許文献２の竪樋用控え具によれば、固定部に対してスライド片を所望の間隔となる位置で係止部により仮留めし、スライド片の挿通孔と固定部の長穴を結合具で結合することにより、竪樋と外壁面との間隔調整が可能になるとしている。
【先行技術文献】
【特許文献】
【０００８】
【特許文献１】特開平１０−７２９１８号公報
【特許文献２】特開２０１３−７２２４９号公報
【発明の概要】
【発明が解決しようとする課題】
【０００９】
一方、通常の竪樋の取付施工では、複数の竪樋用控え具を外壁面に沿って縦方向に順次取付け、其々の竪樋用控え具によって竪樋を保持固定している。この場合、通常、建物の外壁面に存在する構造又はデザインに伴う凹凸は大きく、外壁面の表面の不陸に伴う凹凸は小さい凹凸となっている。そのため、竪樋の控え具における外壁面と竪樋との間隔の調整では、大きく調整させたい設置場所と微小に調整させたい設置場所とが存在する。
【００１０】
これに対して、特許文献１に記載の竪樋用控え具では、竪樋支持部と固定部に形成した雄ねじ部と調整部材の雌ねじ部との螺合具合だけで間隔を調整するため、取付部と固定部の間隔の微調整は可能ではあるが、大きな調整はできない場合があった。
【００１１】
また、特許文献２に記載の竪樋の控え具では、目的の間隔としてから係止部により仮留めした後に係合具で固定するため、施工が煩雑であった。また、固定部に設けられた長穴の寸法の範囲でのみの調整であるため、大きな調整ができない場合があった。
【００１２】
本発明は、上記従来の問題点に鑑みてなされたものであり、建物の構造やデザインに伴って存在する外壁面の比較的大きな凹凸形状から微小な不陸等に応じて、外壁面と竪樋との設置間隔を容易かつ連続的に調整可能な竪樋用控え具を提供することを課題とする。
【課題を解決するための手段】
【００１３】
本発明は、上記の課題を解決するために、以下のことを特徴としている。
【００１４】
すなわち、本発明の竪樋用控え具は、建物の外壁面に固定される固定部と、竪樋を支持する竪樋支持部と、前記固定部と前記竪樋支持部の間隔を調整可能に連結する間隔調整部を備えた竪樋用控え具であって、前記固定部に設けられた外壁面側から前方に延びる被連結部と、前記竪樋支持部に設けられた外壁面側に延びる連結部がスライド可能に連結され、前記竪樋支持部が前記外壁面に対して前後方向に移動可能に接続されており、
前記間隔調整部は、前記固定部に回転自在に支持された渦巻き状の溝が形成された円板を備えるとともに、一端部が前記竪樋支持部に接続され、他端部が前記円板の渦巻き状の溝に摺動可能に支持されたアーム部を備え、前記間隔調整部の円板を回転させて渦巻き状の溝に支持されたアーム部の他端部の位置を変更することにより、前記固定部と前記竪樋支持部の間隔を調整可能とすることを特徴とする。
【発明の効果】
【００１５】
本発明によれば、建物の構造やデザインに伴って存在する外壁面の比較的大きな凹凸形状から微小な不陸等に応じて、外壁面と竪樋との設置間隔を容易かつ連続的に調整可能な竪樋用控え具を提供することが可能となる。
【図面の簡単な説明】
【００１６】
【図１】本発明の竪樋用控え具の一実施形態の概略斜視図である。
【図２】実施形態の竪樋用控え具の動作原理を説明するための概略説明図である。
【図３】固定用部材を取り付けた状態の概略断面図である。
【発明を実施するための形態】
【００１７】
本発明の竪樋用控え具について、図面に基づいて以下に詳述する。図１は、本発明の竪樋用控え具１の一実施形態を示した概略斜視図である。
【００１８】
本発明の竪樋用控え具１は、建物の外壁面６に固定される固定部２と、竪樋７を支持する竪樋支持部３と、固定部２と竪樋支持部３の間隔を調整可能に連結する間隔調整部４を備えている。
【００１９】
また、固定部２に設けられた外壁面６側から前方に延びる被連結部２１と、竪樋支持部３に設けられた外壁面６側に延びる連結部３１がスライド可能に連結され、竪樋支持部３が外壁面６に対して前後方向に移動可能に接続されている。
【００２０】
さらに、間隔調整部４は、固定部２に回転自在に支持された渦巻き状の溝４２が形成された円板４１を備えるとともに、一端部が竪樋支持部３に接続され、他端部が円板４１の渦巻き状の溝４２に摺動可能に支持されたアーム部４４を備えている。
【００２１】
そして、間隔調整部４の円板４１を回転させて渦巻き状の溝４２に支持されたアーム部４４の他端部の位置を変更することにより、固定部２と竪樋支持部３の間隔を調整可能としている。
【００２２】
固定部２は、竪樋支持部３及び間隔調整部４を保持した状態で建物の外壁面６に固定する部材である。固定部２には、例えば、ねじ２６等により外壁面６に固定するためのねじ留め孔２３が設けられている。また、固定部２の外壁面６側とは反対側には、外壁面６側から前方に延びる、竪樋支持部３を前後方向に移動可能に連結するための被連結部２１が設けられている。
【００２３】
竪樋支持部３は、固定部２と間隔調整部４に接続するとともに、竪樋７を固定して支持するための部材である。竪樋支持部３には、外壁面６側に延びる連結部３１が設けられ、固定部２に設けられた被連結部２１と、スライド可能に連結されており、竪樋支持部３が外壁面６に対して前後方向に移動可能としている。
【００２４】
また、連結部３１とは反対側の前方部には竪樋７を支持固定するための支持固定部３２が設けられている。支持固定部３２は、竪樋７を強固に固定できる構造であれば特に限定されるものではなく、竪樋７の形状や太さ等に合わせて種々の構造のものを適用することができる。
【００２５】
具体的には、例えば、図１に示すような、竪樋７の背面部に設けられた凸状の支持部７１に嵌着接続可能な形状の支持固定部３２としたり、半円形状の金属板をヒンジにより開閉可能とし、留め具等で把持できる把持部材等を用いることができる。また、種々の竪樋７の形状に対応する取付又は把持構造をアタッチメントとして用いて接続できるようにすることもできる。
【００２６】
固定部２と竪樋支持部３の間には、各々の間隔を調整可能に連結する間隔調整部４が設けられている。間隔調整部４は、円板４１とアーム部４４を備えており、円板４１は、前後に回転可能な立設した状態で回転軸４３により固定部２の前方部に軸支されている。また、円板４１側面の平面には、外周の縁から回転軸４３方向に向けて渦巻き状の溝４２が形成されている。渦巻き状の溝４２の巻き数は特に限定されるものではないが、通常、外周から回転軸４３に向けて３〜４周程度が考慮される。渦巻き状の溝４２の巻き数を多くすると間隔の微調整が可能となり、巻き数を少なくすると円板４１の少しの回転により大きい間隔調整が可能となる。
【００２７】
また、アーム部４４の一端部は竪樋支持部３に接続されており、他端部には、図３に示すように、内側に向けて内側突起部４５が設けられ、内側突起部４５は円板４１に設けられた渦巻き状の溝４２内に摺動可能に支持されている。さらに、アーム部４４の他端部には、外側に向けて外側突起部４６が設けられており、外側突起部４６は、固定部２に設けられた外壁面６側から前方に向けて水平に延びるスリット部２２内に移動可能に支持されている。
【００２８】
上記の構造の本実施形態の竪樋用控え具１においては、間隔調整部４の円板４１を回転させて、アーム部４４の他端部の内側突起部４５が移動する渦巻き状の溝４２内で摺動することにより、アーム部４４の他端部の外側突起部４６がスリット部２２に沿って前後方向に移動させることができる。そして、このアーム部４４の動作により、固定部２と竪樋支持部３の間隔を無段階で調整可能としている。
【００２９】
円板４１の回転により固定部２と竪樋支持部３の間隔が調整可能となる機序について図２を用いて説明する。図２は、本実施形態の竪樋用控え具１の動作原理を説明するための概略説明図であり、円板４１、渦巻き状の溝４２、スリット部２２、内側突起部４５の各構成部材を簡略化して示している。
【００３０】
図２において、スリット部２２内に現れる円板４１に形成された渦巻き状の溝４２の一点、即ち、内側突起部４５の位置を点αとして見た場合、円板４１を矢印ａの方向に回転させると、点αは矢印ｂの方向に移動する。
【００３１】
具体的には、スリット部２２内の点αの位置の状態から円板４１を一回転すると、点αは点βの位置に移動する。また、さらに円板４１を一回転すると、点βの位置から点γの位置に移動する。このような動作は、渦巻き状の溝４２が円板４１の回転に伴って外周に近い位置から回転軸４３に向かって近付くように連続的に形成されていることによる。
【００３２】
このように、円板４１を回転させることによりアーム部４４の他端部をスリット部２２内で前後方向に移動させることが可能となる。また、本実施形態の竪樋用控え具１では、アーム部４４の一端部は、一定の角度を保持したまま竪樋支持部３に接続されており、竪樋支持部３は、連結部３１と被連結部２１により水平前後方向に移動可能に連結されている。これにより、円板４１に回転によるアーム部４４の移動に伴って、固定部２と竪樋支持部３の間隔を調整することが可能となる。
【００３３】
また、本発明の竪樋用控え具１においては、固定部２の一部に、円板４１の回転を抑止するための固定用部材５を着脱可能に設けることが好ましく考慮される。
【００３４】
固定用部材５の構造や形状は、円板４１の回転を抑止できるものであれば特に限定されるものではないが、例えば、図１、図３に示すような、押え部５１と係止部５２を有する実施形態の固定用部材５を用いることができる。本実施形態の固定用部材５の使用においては、円板４１が軸支された位置の上部で円板４１を挟む両側に、其々垂直方向に開口する開口部２４を設け、開口部２４に固定用部材５の係止部５２を上方向から押し込む。これにより、固定用部材５の押え部５１と円板４１の上部が当接して円板４１の回転を抑止させることができる。
【００３５】
なお、固定用部材５の係止部５２の下部には返し５３が設けてあり、上方から押し込んだ固定用部材５は、図３に示すように開口部２４の内壁外側に設けられた切欠き部２５と嵌合して外れないようになっている。また、固定用部材５を取外す場合には、係止部５２を両側から内側に押して、切欠き部２５から返し５３を外した状態で上方に引き上げることにより容易に取り外すことができ、円板４１の回転の抑止を解除することができる。
【００３６】
固定用部材５により円板４１の回転を抑止することにより、竪樋７の設置後に円板４１が振動や衝撃等により回転して竪樋７と外壁面６の間隔が変動することを防止することができる。
【００３７】
本実施形態の竪樋用控え具１については、その材質は、屋外での経年の使用においても変形や破損が生じにくいものであれば特に制限されることはなく、例えば、金属や硬質の樹脂、それらの複合体等によって形成されたものとすることができる。
【００３８】
上記の本実施形態の竪樋用控え具１によって、建物の外壁面６に沿って竪樋７を以下の手順により固定することができる。
【００３９】
竪樋７を設置しようとする建物の外壁面６に、その長さ方向の所定部分毎に、複数の竪樋用控え具１を直列に設置する。竪樋用控え具１の設置では、まず、外壁面６に対して固定部２をねじ２６等により固定して竪樋用控え具１を設置する。
【００４０】
次に、竪樋７が地面に対して垂直になるように外壁面６と竪樋７の間隔を考慮して、円板４１を大きく回転させて、固定部２と竪樋支持部３の間隔を短く縮めた状態又は、長く延ばした状態に設定するかを決定する。
【００４１】
次に、竪樋支持部３の支持固定部３２により竪樋７と竪樋支持部３を固定する。なお、竪樋７と竪樋支持部３を固定した段階で、竪樋用控え具１の設置場所の外壁面６に施工誤差等による不陸があり、竪樋７が地面に対して垂直にならず歪みが生じている場合には、円板４１を小さく回転させて外壁面６と竪樋７の間隔の微調整を行う。
【００４２】
そして、外壁面６と竪樋７の間隔が決定した状態で、固定部２に設けられた開口部２４に固定用部材５を上方から押し込み、嵌合させて円板４１を固定する。これにより、外壁面６に対して竪樋７を設置することができる。
【００４３】
上記のように、本実施形態の竪樋用控え具１を用いることにより、建物の構造やデザインに伴って存在する外壁面６の比較的大きな凹凸形状から微小な不陸等に応じて、外壁面６と竪樋７との設置間隔を容易かつ連続的に調整して竪樋７を設置することができる。
【００４４】
以上、本発明の竪樋用控え具１を一実施形態に基づいて説明したが、本発明は上記の実施形態に限定されるものではなく、その要旨を逸脱しない範囲内において種々の変形、変更が可能である。
【００４５】
例えば、上記実施形態では、円板４１に設けられた渦巻き状の溝４２は、円板４１の平面部を貫通しないように形成されているが、渦巻き状の溝４２部を貫通させて設けることもできる。
【００４６】
また、円板４１の回転を抑止するための固定部材５を上方から押し込む構造としているが、開口部２４を前方部に設けて、前方方向から押し込む構造とすることもできる。
【００４７】
また、竪樋支持部３における支持固定部３２の方向を考慮すれば、図１に示す取り付け位置を横に取付けたり、上下を逆に取付けることもできる。
【符号の説明】
【００４８】
１  竪樋用控え具
２  固定部
２１  被連結部
２２  スリット部
３  竪樋支持部
３１  連結部
４  間隔調整部
４１  円板
４２  渦巻き状の溝
４４  アーム部
５  固定用部材
６  外壁面
７  竪樋
【図１】
2017193883.tif 000003
【図２】
2017193883.tif 000004
【図３】
2017193883.tif 000005